(57)【要約】【課題】製造工程において材料の無駄を防止するとともに、着用者の臀部をはみ出すことなく覆うことができ、着用者の体型に適したパンツ型使い捨ておむつ及びその製造方法を提供する。【解決手段】着用者の身体を被包するための装着機能を有する外装部材を形成するための長尺シート体５１を、ウエスト周りを形成するための所要寸法の半分の長さを一周期としてその長手方向に繰り返されて幅方向に２分割する前後分割線５２と、第１分割体６１の所定の位置に一周期ごとに形成された第１分割体分割線５３と、第２分割体６２の所定の位置に一周期ごとに形成された第２分割体分割線５４とによって分割することにより、前身頃及び股下部を形成する第１外装部材６３と、後身頃及び第１外装部材の股下部とは異なる形状の股下部を形成する第２外装部材６４とを形成し、それらを接合して、パンツ型使い捨ておむつ１を得る。【選択図】図４
2009006024.tif 000002
【特許請求の範囲】
【請求項１】
前身頃、股下部及び後身頃の各部から構成されて着用者の身体を被包するための装着機能を有する外装部材を形成するための長尺シート体を、
ウエスト周りを形成するための所要寸法の半分の長さを一周期としてその長手方向に繰り返されて幅方向に２分割する前後分割線と、
その前後分割線により分割される第１分割体の所定の位置に一周期ごとに形成された、前記長尺シート体の幅方向端部と前記前後分割線とを結び前記長手方向に垂直な第１分割体分割線と、
その前後分割線により分割される第２分割体の、前記第１分割体分割線と半周期ずれた所定の位置に一周期ごとに形成され、前記長尺シート体の幅方向端部と前記前後分割線とを結び前記長手方向に垂直な第２分割体分割線とによって分割することにより、前身頃及び股下部を形成する第１外装部材と、後身頃及び前記第１外装部材の前記股下部とは異なる形状の股下部を形成する第２外装部材とを形成し、
前記第１外装部材と前記第２外装部材とを対応する側縁部同士及び股下部同士で接合して、一つのウエスト周り開口部及び一対の脚周り開口部を形成するパンツ型使い捨ておむつの製造方法。
【請求項２】
前身頃、股下部及び後身頃の各部から構成されて着用者の身体を被包するための装着機能を有する外装部材を形成するための長尺シート体を、
ウエスト周りを形成するための所要寸法の半分の長さを一周期としてその長手方向に繰り返されて幅方向に２分割する前後分割線によって分割することにより第１分割体と第２分割体とに分割し、
前記第１分割体と前記第２分割体の前記股下部同士で接合し、
前記第１分割体及び前記第２分割体の所定の位置に一周期ごとに形成された前記長手方向に垂直な第１分割体分割線及び第２分割体分割線とによって分割することにより、前身頃及び股下部を形成する第１外装部材と、後身頃及び前記第１外装部材の前記股下部とは異なる形状の股下部を形成する第２外装部材とが接合した個別接合体を形成し、
その個別接合体の前記第１外装部材と前記第２外装部材とを対応する側縁部同士で接合して、一つのウエスト周り開口部及び一対の脚周り開口部を形成するパンツ型使い捨ておむつの製造方法。
【請求項３】
前記前後分割線によって２分割する前の前記長尺シート体において、
前記第１分割体分割線は、前記第２外装部材の前記股下部の前記長手方向中央に位置し、
前記第２分割体分割線は、前記第１外装部材の前記股下部の前記長手方向中央に位置する請求項１または２に記載のパンツ型使い捨ておむつの製造方法。
【請求項４】
請求項１〜３のいずれか１項に記載のパンツ型使い捨ておむつの製造方法によって製造されたパンツ型使い捨ておむつ。
【発明の詳細な説明】
【技術分野】
【０００１】
本発明は、パンツ型使い捨ておむつの製造方法、及びパンツ型使い捨ておむつに関する。更に詳しくは、一つのウエスト周り開口部と一対の脚周り開口部が形成され、パンツ型に構成されたパンツ型使い捨ておむつに関する。
【背景技術】
【０００２】
パンツ型使い捨ておむつは、布製のパンツを履かせるのと同様の手順で着用者に装着させることができるため、短時間でおむつの交換を行うことができることに加え、着用者を立たせたままでおむつの交換を行うこともできる。また、テープ型おむつのように、固定テープによってウエスト周り寸法を調節する必要がなく、おむつの交換が容易であるという利点をも有するものである。
【０００３】
パンツ型使い捨ておむつとして、例えば、特許文献１が知られている。このパンツ型使い捨ておむつは、ウエストバンドを備え、フィット性がよいが、着用者の体型によっては、臀部を覆う部分が少ないため臀部がはみ出すことがある。
【０００４】
一方、資源を無駄にしない使い捨て着用物品およびその構成部材の製造方法として、特許文献２が知られている。これは、シートをサインカーブ状の切断線によって２分して、表面シートまたは裏面シートを製造するものであり、資源の無駄を防止する技術であるが、背側と腹側とが同一形状のためフィット性に劣る。
【０００５】
【特許文献１】特許第２８２４８５６号公報
【特許文献２】特許第３３１７８３６号公報
【発明の開示】
【発明が解決しようとする課題】
【０００６】
従来の使い捨ておむつでは、製造工程において、材料を無駄にすることが多く、また特許文献２のように、材料の無駄を防止するものは、着用者の体型に適した形状とされていないことが多い。
【０００７】
本発明の課題は、製造工程において材料の無駄を防止するとともに、着用者の臀部をはみ出すことなく覆うことができ、着用者の体型に適したパンツ型使い捨ておむつ及びその製造方法を提供することにある。
【課題を解決するための手段】
【０００８】
本発明者は、股下部及び後身頃の各部から構成されて着用者の身体を被包するための装着機能を有する外装部材を形成するための長尺シート体を分割することにより、前身頃及び股下部を形成する第１外装部材と、後身頃及び第１外装部材の股下部とは異なる形状の股下部を形成する第２外装部材とを形成し、これらを接合することにより、上記課題を解決しうることを見出した。具体的には、本発明によれば、以下のパンツ型使い捨ておむつの製造方法、及びパンツ型使い捨ておむつが提供される。
【０００９】
［１］  前身頃、股下部及び後身頃の各部から構成されて着用者の身体を被包するための装着機能を有する外装部材を形成するための長尺シート体を、ウエスト周りを形成するための所要寸法の半分の長さを一周期としてその長手方向に繰り返されて幅方向に２分割する前後分割線と、その前後分割線により分割される第１分割体の所定の位置に一周期ごとに形成された、前記長尺シート体の幅方向端部と前記前後分割線とを結び前記長手方向に垂直な第１分割体分割線と、その前後分割線により分割される第２分割体の、前記第１分割体分割線と半周期ずれた所定の位置に一周期ごとに形成され、前記長尺シート体の幅方向端部と前記前後分割線とを結び前記長手方向に垂直な第２分割体分割線とによって分割することにより、前身頃及び股下部を形成する第１外装部材と、後身頃及び前記第１外装部材の前記股下部とは異なる形状の股下部を形成する第２外装部材とを形成し、前記第１外装部材と前記第２外装部材とを対応する側縁部同士及び股下部同士で接合して、一つのウエスト周り開口部及び一対の脚周り開口部を形成するパンツ型使い捨ておむつの製造方法。
【００１０】
［２］  前身頃、股下部及び後身頃の各部から構成されて着用者の身体を被包するための装着機能を有する外装部材を形成するための長尺シート体を、ウエスト周りを形成するための所要寸法の半分の長さを一周期としてその長手方向に繰り返されて幅方向に２分割する前後分割線によって分割することにより第１分割体と第２分割体とに分割し、前記第１分割体と前記第２分割体の前記股下部同士で接合し、前記第１分割体及び前記第２分割体の所定の位置に一周期ごとに形成された前記長手方向に垂直な第１分割体分割線及び第２分割体分割線とによって分割することにより、前身頃及び股下部を形成する第１外装部材と、後身頃及び前記第１外装部材の前記股下部とは異なる形状の股下部を形成する第２外装部材とが接合した個別接合体を形成し、その個別接合体の前記第１外装部材と前記第２外装部材とを対応する側縁部同士で接合して、一つのウエスト周り開口部及び一対の脚周り開口部を形成するパンツ型使い捨ておむつの製造方法。
【００１１】
［３］  前記前後分割線によって２分割する前の前記長尺シート体において、前記第１分割体分割線は、前記第２外装部材の前記股下部の前記長手方向中央に位置し、前記第２分割体分割線は、前記第１外装部材の前記股下部の前記長手方向中央に位置する前記［１］または［２］に記載のパンツ型使い捨ておむつの製造方法。
【００１２】
［４］  前記［１］〜［３］のいずれかに記載のパンツ型使い捨ておむつの製造方法によって製造されたパンツ型使い捨ておむつ。
【発明の効果】
【００１３】
本発明のパンツ型使い捨ておむつの製造方法によれば、長尺シート体を分割することにより、前身頃及び股下部を形成する第１外装部材と、後身頃及び股下部を形成する第２外装部材とを形成するため、資源の無駄を防止することができる。また、第２外装部材の股下部は、第１外装部材と異なる形状に形成されているため、フィット性を向上させることができる。
【発明を実施するための最良の形態】
【００１４】
以下、図面を参照しつつ本発明の実施の形態について説明する。本発明は、以下の実施形態に限定されるものではなく、発明の範囲を逸脱しない限りにおいて、変更、修正、改良を加え得るものである。
【００１５】
以下、２ピースタイプのパンツ型使い捨ておむつの例により説明する。なお、「２ピースタイプ」とは、図１及び図２に示すパンツ型使い捨ておむつ１のように、着用者の排泄物を吸収し、保持する機能（吸収・保持機能）を担う吸収性本体１４と、着用者の身体を被包する機能（装着機能）を担う外装部材１６とから構成され、外装部材１６の内側に吸収性本体１４が配置されたタイプのおむつを意味するものとする。吸収性本体１４は吸収体２２、トップシート１８及びバックシート２０を構成要素として備えた部材である。
【００１６】
なお、本明細書において「パンツ型使い捨ておむつ」というときは、図１に示すパンツ型使い捨ておむつ１のように、前身頃２と後身頃６の対応する側縁部同士（側縁部２ａ，６ａ、側縁部２ｂ，６ｂ）を接合することによって、接合部８、一つのウエスト周り開口部１０及び一対の脚周り開口部１２ａ，１２ｂが形成され、予めパンツ型に構成されたおむつを意味するものとする。
【００１７】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００１８】
［１］本発明のパンツ型使い捨ておむつの構成：
図１は、本発明のパンツ型使い捨ておむつの一の実施形態を示す概略斜視図であり、本発明のパンツ型使い捨ておむつをその前方から見た状態を示す図である。また、図２は、本発明のパンツ型使い捨ておむつの一の実施形態を示す平面図であり、図１に示すパンツ型使い捨ておむつを展開し、おむつの吸収性本体側から見た状態を示す図である。
【００１９】
本発明のパンツ型使い捨ておむつは、図１〜図２に示すパンツ型使い捨ておむつ１のように、前身頃２、股下部４及び後身頃６の各部から構成され、前身頃２と後身頃６の対応する側縁部２ａ，６ａ（２ｂ，６ｂ）同士が接合されて（接合部８）、一つのウエスト周り開口部１０及び一対の脚周り開口部１２（１２ａ，１２ｂ）が形成され、外装部材１６と、吸収性本体１４とを備える。外装部材１６は、不織布によって構成され、前身頃２、股下部４及び後身頃６の各部を形成するものであり、第１外装部材６３と第２外装部材６４から構成される。吸収性本体１４は、図３に示すように、排泄物吸収用の吸収体２２と、吸収体２２の表面を被覆するように配置された、少なくとも一部が液透過性材料からなるトップシート１８と、吸収体２２の裏面を被覆するように配置されたバックシート２０とを有するものである。
【００２０】
前身頃２及び股下部４を形成する第１外装部材６３と、後身頃６及び股下部４を形成する第２外装部材６４とは、異なる形状に形成されている。図１及び図２に示すように、第２外装部材６４の股下部４は、第１外装部材６３の股下部４よりも幅が広く形成されている。詳しく説明すると、図４に示すように、第２外装部材６４の股下部４の下端の平端部の長さｂは、第１外装部材６３の股下部４の下端の平端部の長さａよりも幅が広く形成されている。このように形成することにより、着用者の臀部を広く覆って、フィット性を向上させることができる。
【００２１】
［１−１］接合部：
本発明のパンツ型使い捨ておむつは、第１外装部材６３と第２外装部材６４とが、接合点によって接合されて外腿側接合部及び股下接合部が形成される。例えば、パンツ型使い捨ておむつ１は、図２に示すように、股下接合部８ｂは、ヒートシール、熱エンボス等の加熱接合等により接合することができる。また、図１に示すように、腿側接合部８ａも同様に形成することができる。
【００２２】
［１−２］吸収体：
吸収体は、着用者の尿を吸収し、保持するための部材である。吸収体は、着用者の尿や体液を吸収し保持する必要から、吸収性材料によって構成される。
【００２３】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。なお、吸収体の型崩れを防止するために、フラッフパルプのような天然繊維の他、熱融着繊維等の合成繊維を加えて吸収体を構成してもよい。
【００２４】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００２５】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。
【００２６】
吸収体は、その全体が親水性シートによって包み込まれていることが好ましい。このような構成は、吸収体からＳＡＰが漏洩することを防止し、吸収体に形状安定性を付与することができるという利点がある。
【００２７】
吸収体の形状については特に制限はないが、従来の使い捨ておむつ、その他の吸収性物品において使用される形状、例えば、矩形状、砂時計型、ひょうたん型、Ｔ字型等を挙げることができる。
【００２８】
［１−３］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。
【００２９】
トップシートを構成する液透過性材料としては、例えば、織布、不織布、多孔性フィルム等を挙げることができる。中でも、ポリオレフィン（ポリプロピレン、ポリエチレン等）、ポリエステル、脂肪族ポリアミド（いわゆるナイロン）等の熱可塑性樹脂からなる不織布に親水化処理を施したものを用いることが好ましい。トップシートは単一のシート材によって構成されていてもよいが、複数のシート材によって構成されていてもよい。
【００３０】
［１−４］バックシート：
バックシートは、吸収体の裏面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００３１】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００３２】
［１−５］吸収性本体：
本発明のパンツ型使い捨ておむつは、１ピースタイプのパンツ型おむつであってもよいが、トップシート、バックシート及び吸収体を、吸収・保持機能を担う「吸収性本体」という一つの部材として構成し、これとは別個に製造された外装部材と接合することにより構成された、いわゆる２ピースタイプのパンツ型おむつとして構成できる。
【００３３】
例えば、図３は、トップシート１８とバックシート２０の間に吸収体２２を挟みこみ、吸収体２２の周縁部を封着することによって、トップシート１８とバックシート２０との間に吸収体２２が介装された構造の吸収性本体１４を構成した例である。
【００３４】
［１−６］外装部材：
外装部材は、着用者の身体を被包するための装着機能を担う部材であり、具体的には、前身頃、股下部及び後身頃の各部を形成するシート状の部材である。
【００３５】
２ピースタイプの使い捨ておむつにおいては、着用者の排泄物を吸収し、保持する吸収・保持機能については、専ら吸収性本体が果たすことになるので、外装部材を構成する材料として液不透過性材料を用いる必要はない。本発明のパンツ型使い捨ておむつにおいては、外装部材は不織布により構成することが好ましい。不織布の種類は特に限定されないが、例えば、ポリオレフィン（ポリエチレン、ポリプロピレン等）、ポリエステル、脂肪族ポリアミド（いわゆるナイロン）、その他の熱可塑性樹脂からなる合成繊維によって構成された不織布等を挙げることができる。このように、外装部材の構成材料としては合成繊維からなる不織布を用いることが多いが、外装部材の一部（例えば、内側面）に天然繊維（例えば、綿）からなる不織布を用いてもよい。
【００３６】
そして、外装部材は、ウエスト周り伸縮材等を挟み込んだ状態で固定するために、２枚以上の不織布を貼り合わせて構成されることが多い。例えば、図１及び図２に示すパンツ型使い捨ておむつ１は、外装部材１６をインナーシート、アウターシートという２枚の不織布を貼り合わせて構成し、それらの不織布の間にウエスト周り伸縮材４２及び腹周り伸縮材４４を挟み込み固定した例である。
【００３７】
［１−７］各種伸縮材：
パンツ型の使い捨ておむつにおいては、脚周り伸縮材を配置し、ウエスト周り伸縮材を配置することが一般的であるが、本発明のパンツ型使い捨ておむつ１は、脚周り伸縮材を配置しないことが望ましい。このように構成することにより、高速生産が可能になる。更に腹周り伸縮材を配置することが好ましい。
【００３８】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００３９】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むギャザー（タミーギャザー）を形成することができる。このタミーギャザーは、ウエストギャザーと相俟って、おむつのフィット性やずり下がり防止効果を一層優れたものとすることができる。
【００４０】
なお、図１及び図２に示すパンツ型使い捨ておむつ１は、ウエスト周り開口部１０の周縁にはウエスト周り開口部１０を取り囲むように複数本のウエスト周り伸縮材４２を配置し、更に、ウエスト周り開口部１０と脚周り開口部１２ａ，１２ｂとの間の部分（即ち、着用者の腹周りに相当する部分）には、着用者の腹周りを取り囲むように複数本の腹周り伸縮材４４を配置した例である。
【００４１】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００４２】
［２］本発明のパンツ型使い捨ておむつの製造方法：
以下、本発明のパンツ型使い捨ておむつの製造方法について、図１及び図２に示すパンツ型使い捨ておむつ１を製造する場合の例により、図４〜図６を参照しながら説明する。
【００４３】
［２−１］吸収性本体の製造：
バックシートの上面に、親水性シートに包まれた吸収体を配置し、更にその上面にトップシートを配置する。次いで、吸収体の周縁部をトップシートとバックシートとで挟み込むように封着することによって吸収性本体１４を得る。
【００４４】
［２−２］長尺シート体の製造：
複数の長尺シート材の層間に、長尺の伸縮材が配置された長尺シート体を形成する。図１及び図２に示すパンツ型使い捨ておむつ１の場合、外装部材１６はインナーシート、アウターシートの２枚の不織布から構成される。このうちの１枚の不織布シート（このシートがアウターシートとなる）の上面に、ウエスト周り伸縮材４２、腹周り伸縮材４４を配置し接着固定する。そして、この上面に、更にもう１枚の不織布シート（このシートがインナーシートとなる）を積層し固定することにより、２枚の不織布シートの間に、ウエスト周り伸縮材４２、及び腹周り伸縮材４４が介装された長尺シート体５１を得る。長尺シート体５１は、前身頃、股下部及び後身頃の各部から構成されて着用者の身体を被包するための装着機能を有する外装部材を形成するためのものである。
【００４５】
［２−３ａ］外装部材の製造（実施形態１）：
前工程で得られた長尺シート体５１を、図４に示す前後分割線５２、第１分割体分割線５３、及び第２分割体分割線５４にて切断する。前後分割線５２は、ウエスト周りを形成するための所要寸法の半分の長さを一周期としてその長手方向に繰り返されて長尺シート体５１を幅方向に２分割する。第１分割体分割線５３は、前後分割線５２により分割される第１分割体６１の所定の位置に一周期ごとに形成され、長尺シート体５１の幅方向端部と前後分割線とを結び長手方向に垂直な分割線である。第２分割体分割線５４は、前後分割線５２により分割される第２分割体６２の、第１分割体分割線５３と半周期ずれた所定の位置に一周期ごとに形成され、長尺シート体５１の幅方向端部と前後分割線とを結び長手方向に垂直な分割線である。第１分割体分割線５３は、第２外装部材６４の股下部の長手方向中央に位置し、第２分割体分割線５４は、第１外装部材６３の股下部の長手方向中央に位置する。
【００４６】
以上のような前後分割線５２、第１分割体分割線５３、及び第２分割体分割線５４によって長尺シート体５１を分割することにより、図５に示すような前身頃２及び股下部４を形成する第１外装部材６３と、後身頃６及び第１外装部材６３の股下部４とは異なる形状の股下部４を有する第２外装部材６４とを形成する。具体的には、第２外装部材６４の股下部４の幅を広く形成する。長尺シート体５１を分割することにより、第１外装部材６３と第２外装部材６４を得るため、材料を無駄にすることがなく、製造コストを削減することも可能である。
【００４７】
次に第１外装部材６３と第２外装部材６４とを対応する股下部同士で接合して、図２のような個別接合体を形成する。このとき、吸収体本体１４を股下部４の中央領域に配置する。そして、さらに側縁部同士を接合することにより、ウエスト周り開口部１０及び一対の脚周り開口部１２を形成して、図１のようなパンツ型使い捨ておむつ１を得ることができる。
【００４８】
［２−３ｂ］外装部材の製造（実施形態２）：
別の実施の形態を説明する。前述と同様の図４に示す長尺シート体５１を、ウエスト周りを形成するための所要寸法の半分の長さを一周期としてその長手方向に繰り返されて幅方向に２分割する前後分割線５２によって分割することにより第１分割体６１と第２分割体６２とに分割する。
【００４９】
図６に示すように、第１分割体６１と第２分割体６２の股下部同士で接合する。次に、第１分割体６１及び第２分割体６２の所定の位置に一周期ごとに形成された長手方向に垂直な第１分割体分割線５３及び第２分割体分割線５４とによって分割することにより、図２に示すような、前身頃及び股下部を形成する第１外装部材６３と、後身頃及び前記第１外装部材の股下部とは異なる形状の股下部を形成する第２外装部材６４とが接合した個別接合体を形成する。このとき、吸収性本体１４を股下部４の中央領域に配置する。
【００５０】
次に、個別接合体の第１外装部材６３と第２外装部材６４とを対応する側縁部同士で接合して、一つのウエスト周り開口部及び一対の脚周り開口部を形成することにより、図１のようなパンツ型使い捨ておむつ１を得ることができる。
【００５１】
以上のように、長尺シート体５１を分割することにより、第１外装部材６３と第２外装部材６４を得るため、材料を無駄にすることがなく、製造コストを削減することも可能である。第１外装部材６３と第２外装部材６４の股下部４を異なる形状に、具体的には、第２外装部材６４の股下部４の幅が第１外装部材６３の股下部４より広く形成することにより、前側がすっきりとし、背側は体をすっぽりと覆えるパンツ型使い捨ておむつ１とすることができる。なお、前後分割線５２の形状は、説明した実施形態に限られず、様々な着用者の体型を想定して変形することが可能である。例えば、第１外装部材６３の股下部４及び第２外装部材６４の股下部４がその基部から先端にかけて漸次に幅狭となるように前後分割線５２をサインカーブ状とすれば、接合部８の接合幅を変えるだけで、様々な体型の着用者にフィットする種々のサイズのパンツ型使い捨ておむつを簡単に製造可能である。
【産業上の利用可能性】
【００５２】
本発明のパンツ型使い捨ておむつは、着用者の臀部を広く覆いフィット性にも優れ、排泄物が漏れることがなく、乳幼児用、或いは介護を必要とする高齢者や障害者等の成人用の吸収性物品として利用することができる。
【図面の簡単な説明】
【００５３】
【図１】本発明のパンツ型使い捨ておむつの一の実施形態を示す概略斜視図であり、本発明のパンツ型使い捨ておむつをその前方から見た状態を示す図である。
【図２】本発明のパンツ型使い捨ておむつの一の実施形態を示す平面図であり、図１に示すパンツ型使い捨ておむつを展開し、おむつの吸収性本体側から見た状態を示す図である。
【図３】吸収性本体を示す断面図である。
【図４】長尺シート体の分割線を示す図である。
【図５】第１外装部材と第２外装部材に分割した工程を示す図である。
【図６】第１分割体と第２分割体に分割して接合した工程を示す図である。
【符号の説明】
【００５４】
１：パンツ型使い捨ておむつ、２：前身頃、２ａ，２ｂ：側縁部、４：股下部、６：後身頃、６ａ，６ｂ：側縁部、８：接合部、１０：ウエスト周り開口部、１２ａ，１２ｂ：脚周り開口部、１４：吸収性本体、１６：外装部材、１８：トップシート、２０：バックシート、２２：吸収体、４２：ウエスト周り伸縮材、４４：腹周り伸縮材、５１：長尺シート体、５２：前後分割線、５３：第１分割体分割線、５４：第２分割体分割線、６１：第１分割体、６２：第２分割体、６３：第１外装部材、６４：第２外装部材。
【図１】
2009006024.tif 000003
【図２】
2009006024.tif 000004
【図３】
2009006024.tif 000005
【図４】
2009006024.tif 000006
【図５】
2009006024.tif 000007
【図６】
2009006024.tif 000008